(57)【要約】【課題】  蓋体と箱体の強固なロック機構を有し、つまみ片のヘタリが少なく、外観の優れた紙容器を提供すること。【解決手段】  上面に開口を備える箱体と、該開口を覆う蓋体とを箱体の背面側でヒンジ結合し、開閉自在に形成してなる紙容器であって、該蓋体の正面板に基端部を介してつまみ片を突出させて形成し、箱体の正面板には該つまみ片と相対する位置に、切り込み線により区分されかつ点付けされている切り離し部を設け、該つまみ片と該切り離し部を固着することにより、開蓋時に、該切り離し部を切り込み線に沿って切り離して、つまみ片と一体化した係合片とし、該切り離し部の切り離し跡を係合穴とすることにより、蓋体が箱体に係止可能となるように形成した紙容器である。【選択図】  図４
2006321501.tif 000002
【特許請求の範囲】
【請求項１】
上面に開口を備える箱体と、該開口を覆う蓋体とを箱体の背面側でヒンジ結合し、開閉自在に形成してなる紙容器であって、該蓋体の正面板に基端部を介してつまみ片を突出させて形成し、箱体の正面板には該つまみ片と相対する位置に、切り込み線と点付き部とにより区分されている切り離し部を設け、該つまみ片と該切り離し部を固着することにより、開蓋時に、該切り離し部を切り込み線に沿って切り離して、つまみ片と一体化した係合片とし、該切り離し部の切り離し跡を係合穴とすることにより、蓋体が箱体に係止可能となるように形成した紙容器。
【請求項２】
切り離し部が、その本体の上部が上に凸状に切り込まれ、その下部が下方に向かって減幅して切り込まれ、かつ点状に切り残された点付き部により、箱体の正面板につながっている、請求項１に記載の紙容器。
【請求項３】
切り離し部の下部がＶ字状、又は下に凸状ないし円弧状に形成されている、請求項２に記載の紙容器。
【請求項４】
切り離し部の点付き部が、その本体の下部の下方に向かって減幅する途中の部分に形成されている請求項２に記載の紙容器。
【請求項５】
係合片の係止部分となる凸状部がつまみ片の基端部より上方に突出して固着されている、請求項１〜４のいずれかに記載の紙容器。
【請求項６】
蓋体のつまみ片の基端部近傍に、係合片の係止状態を視認できる覗き穴を設けてなる請求項１〜５のいずれかに記載の紙容器。
【発明の詳細な説明】
【技術分野】
【０００１】
本発明は紙容器に関し、詳しくは粉末洗剤等の粉体を収納するための紙容器であって、強固なロック機能を有し、つまみ片のヘタリが殆どなく、外観の優れた紙容器に関する。
【背景技術】
【０００２】
家庭用粉末洗剤等の紙容器として、上面に開口を備える箱体と、該開口を覆う蓋体とを箱体の背面側でヒンジ結合し、開閉自在に形成してなる紙容器が汎用されている。
このような紙容器では、つまみ片が１枚ないし１枚の折り返しであるため、蓋体を開けたり、蓋体と箱体を係止するたびに、つまみ片に負荷が集中し、つまみ片の先端部又は基端部が比較的短期間でへたって、ロック機能が低下するという問題があった。また、使用開始前は、蓋体のつまみ片が箱体正面と接着剤で固着封止されているため、使用時に開封すると、箱体正面に剥離跡が残り外観が悪化するという問題があった。
【０００３】
一方、紙容器のロック機構については種々の提案がなされているが、満足できるものは得られていない。
例えば、特許文献１には、箱体の正面板の外面に係合端を設け、蓋の前板に折り曲げ部を介して係合片を突出させ、蓋を箱体に被せるにあたり該係合片を蓋の内側に向けて折り曲げて該係合片と係合端とを係合させる紙容器が開示されている。
しかしながら、特許文献１の紙容器は、紙蓋と容器本体の係合力が不十分であり、またつまみ片がヘタリやすいという問題があった。
【０００４】
また、特許文献２には、蓋の前板の下縁中央部のつまみ片に係合片を切り込むとともに、該係合片の左右の下端部と前記つまみ片の左右の上端部との間に水平な折り罫線を刻設し、つまみ片と係合片の全体を回動自在とし、箱体の正面板には、蓋の係合片と相対する位置に、係合片を挿入可能な大きさの係合穴を形成し、コハゼ掛けに挿入してロックする紙容器が開示されている。
しかしながら、特許文献２の紙容器は、切り込まれた係合片の端部が折り罫線と連接しているため、蓋を把持すると容器重量によって蓋と箱体の係合片がへたったり、切り込み端部から裂けたりして、ロック機構が不能ないし破損するおそれがあった。
【０００５】
【特許文献１】特開２００２−３４７７５７号公報
【特許文献２】特許第３５０２６３１号明細書
【発明の開示】
【発明が解決しようとする課題】
【０００６】
本発明は、蓋体と箱体の強固なロック機能を有し、つまみ片のヘタリが少なく、外観の優れた紙容器を提供することを課題とする。
【課題を解決するための手段】
【０００７】
本発明は、上面に開口を備える箱体と、該開口を覆う蓋体とを箱体の背面側でヒンジ結合し、開閉自在に形成してなる紙容器であって、該蓋体の正面板に基端部を介してつまみ片を突出させて形成し、箱体の正面板には該つまみ片と相対する位置に、切り込み線と点付き部とにより区分されている切り離し部を設け、該つまみ片と該切り離し部を固着することにより、開蓋時に、該切り離し部を切り込み線に沿って切り離して、つまみ片と一体化した係合片とし、該切り離し部の切り離し跡を係合穴とすることにより、蓋体が箱体に係止可能となるように形成した紙容器を提供する。
【発明の効果】
【０００８】
本発明の紙容器は、箱体から切り離した切り離し部をつまみ片と一体化した係合片とするため、ロック機能が強固であり、つまみ片と係合片が重合しているため、つまみ片のヘタリが殆どなく、箱体表面に剥離跡が残らないので外観が優れている。
【発明を実施するための最良の形態】
【０００９】
本発明の紙容器は、上面に開口を備える箱体と、該開口を覆う蓋体とを箱体の背面側でヒンジ結合し、開閉自在に形成してなる紙容器であって、該蓋体の正面板に基端部を介してつまみ片を突出させて形成し、箱体の正面板には該つまみ片と相対する位置に、切り込み線と点状に切り残された点付き部により区分されている切り離し部を設け、該つまみ片と該切り離し部を固着することにより、開蓋時に、該切り離し部を切り込み線に沿って切り離して、つまみ片と一体化した係合片とし、該切り離し部の切り離し跡を係合穴とすることにより、箱体に蓋体を閉じた状態で係止可能となるように形成したものである。
【００１０】
本発明の紙容器の実施の形態について、図面を参照して説明する。
本発明の紙容器１０は、図１〜４に示すように、箱体１１と蓋体１２とからなり、箱体１１は上面に開口１１Ｅを有している。その開口１１Ｅは封緘紙１３により、正面板１１Ａ、背面板１１Ｂ、両側板１１Ｃからなる全開口縁部の外側面又は蓋体１２の天板１２Ｄの内面に一定巾を持って貼着、密封され、流通・保管段階において内容物である粉体洗剤等の漏れ防止を可能としている。
【００１１】
箱体１１は、対環境性、廃棄時の焼却性の観点から、紙単体、又は紙を主材料としプラスチックフィルムをラミネートした積層素材を折り曲げて組立てたものである。使用する紙は、特に制限はないが、取扱いの便宜上、坪量３５０〜７００ｇ／ｍ2、厚さ０．３〜１．１ｍｍであることが好ましい。
箱体１１は、上記素材を折り曲げて組立てたものであり、正面板１１Ａ、背面板１１Ｂ、両側板１１Ｃ、底板１１Ｄを有し、上面に開口１１Ｅを有する。図１の形態の場合、箱体１１は、正面板１１Ａ、背面板１１Ｂ、両側板１１Ｃを上端辺で内側に折り返し接着してある。
【００１２】
蓋体１２の材質は、箱体１１と同様に、紙単体、又は紙を主材料としプラスチックフィルムをラミネートした積層素材であることが好ましい。
蓋体１２は、上記素材を折り曲げて組立てたものであり、前板１２Ａ、後板１２Ｂ、両側板１２Ｃ、天板１２Ｄを有する。蓋体１２は、箱体１１の背面板１１Ｂに接着されるヒンジ結合部１２Ｅを後板１２Ｂに備え、箱体１１の開口１１Ｅを覆う。
蓋体１２は、図８に示すように、箱体１１の背面板１１Ｂを延長し、背面板１１Ｂの上端辺にヒンジ罫線を設け、内側に折り返して形成することもできる。この形態の場合、箱体１１は、正面板１１Ａ及び両側板１１Ｃを上端辺で内側に折り返して接着する。
【００１３】
蓋体１２の正面板１２Ａの略中央部にはつまみ片２０を突出させて形成する。箱体１１に粉末洗剤等の内容物が収容されたままで、紙容器１０の箱体１１と蓋体１２とが未開封の状態においては、蓋体１２は、つまみ片２０の裏面に付着された接着剤等によって箱体１１の正面板１１Ａの切り離し部２１（図４参照）に固着されている。切り離し部２１は、内容物の使用開始前までは、箱体１１の正面板１１Ａに、切り込み線と点付き部３２とにより区分され、点付き部３２により箱体１１の正面板１１Ａにつながっている。
【００１４】
使用開始時に、つまみ片２０を指でつまみ、上方に向けて持ち上げると、つまみ片２０には基端部の折り罫線２２を回動中心として上方へ回動する応力がかかる。つまみ片２０に上方へ回動する応力がかかると、つまみ片２０と接着剤等によって一体的に固着されている切り離し部２１は、その切り込み線に沿って箱体１１の正面板１１Ａから切り離される（図４参照）。このとき、切り離し部２１はつまみ片２０の裏面に固着されているので、切り離しと同時に、切り離し部２１はつまみ片２０と一体化する。切り離し部２１が箱体１１から切り離された跡は、係合穴３１となる。
つまみ片２０と一体化した切り離し部２１は、係合片１９として機能し、蓋体１２と箱体１１をつなぐヒンジ結合部１２Ｅを回動支点として、開閉自在な蓋体１２を閉じた状態で、係合片１９が係合穴３１に係止可能となる。
【００１５】
図２及び図６に示すように、蓋体１２のつまみ片２０には、その基端部ないし折り罫線２２の近傍（係合片１９と係合穴３１との係合部分）に、係合片１９の係止状態を視認できる覗き穴２３を設けることができる。覗き穴２３の形状、大きさは特に制限はなく、図２及び図６（ａ）（ｂ）に示すような方形、楕円形のほか、台形、円形等の形状を適宜選択することができる。
また図６（ａ）（ｂ）に示すように、つまみ片２０をつまみ易くするために、つまみ片２０の先端部の近傍に羅線２４を設けて谷折りし、該先端部が外側に屈曲するように形成すれば、折り罫線２２を回動中心として、つまみ片２０を容易に持ち上げることができる。
また、図２において、蓋体１２の前板１２Ａの下側端縁は水平に形成してもよいが、複数の紙容器１０を大箱に詰めて収納する場合の作業性の観点から、中央部から両端部にかけてやや上向きに傾斜させることが好ましい。
【００１６】
箱体１１又は蓋体１２には、取扱いの便宜を考慮して、吊り手、把手等の把持部（図示せず）を設けることもできる。例えば、把持部は、箱体１１の両側板１１Ｃに付設してもよく、また、蓋体１２の両側板１２Ｃ又は天板１２Ｄの外表面に付設してもよい。
把持部の材質は、特に制限はなく、箱体１１、蓋体１２と同様に、紙単体、又は紙を主材料としプラスチックフィルムをラミネートした積層素材を使用することもできるし、ポリオレフィン樹脂等の厚手のシートを用いることもできる。
【００１７】
図４及び図５は、本発明の紙容器の開蓋状態の一例を示す正面概略図である。
箱体１１の正面板１１Ａには係合穴３１が存在する。この係合穴３１は、紙容器１０の開封時に、切り離し部２１が箱体１１の正面板１１Ａから切り離されたことにより、その跡に形成された抜き穴である。
切り離し部２１は、切り離し部２１の本体の上部が上に凸状に切り込まれ、その下部が下方に向かって減幅して切り込まれ、かつ点状に切り残された点付き部３２により箱体１１の正面板１１Ａにつながっている。この点付き部３２は、１〜４箇所設けることが好ましい。切り離し部２１の切り離しを容易にする観点から、点付き部３２は、切り離し部２１の下部における下方に向かって減幅する途中の部分に設けることが好ましく、左右対称に２箇所設けることがさらに好ましい。さらに、点付き部３２は、切り離し部２１の本体の最下端部又は先端部近傍に形成されていないことが好ましい。
ここで、切り離し部２１の「本体の上部が上に凸状」とは、凸状、山状、円弧状、逆Ｖ字状等を包含する用語である。また、切り離し部２１の下部は、下方に突出したＶ字状、又は下に凸状、円弧状に形成されていることが好ましい。
【００１８】
図４において、係合穴３１（切り離し部２１の痕跡である抜き穴）は、その本体の上部３１ａが山状に形成され、その下部が下に円弧状に形成され、最下端部が逆Ｖ字状に形成されている。紙容器１０が未開封状態では、切り離し部２１の該逆Ｖ字状の頂点が点で切り残しされており、それを点付き部３２として、切り離し部２１が箱体１１の正面板１１Ａにつながっている。切り離し部２１がこのように構成されているため、使用開始時に開蓋すると、切り離し部２１は、その本体の最下端部（逆Ｖ字状の底部）を開始点として、切り込み線に沿って箱体１１の正面板１１Aから容易に切り離され、蓋体１２のつまみ片２０に固着されたまま、蓋体１２のつまみ片２０と一体化した係合片１９として、係合穴３１と係合するように機能する。
【００１９】
つまみ片２０の操作性とロック機能の強化の観点から、係合片１９の係止部分となる凸状部１９ａは、つまみ片２０の基端部より上方に突出して固着されることが好ましい。
また、紙容器１０の開封時に、つまみ片２０を手がかりとして、つまみ片２０に固着された切り離し部２１を箱体１１の正面板１１Ａから切り離すことを容易とするために、切り離し部２１は、つまみ片２０の外縁部より内側に形成されていることが好ましく、少なくともつまみ片２０の外縁部の先端が切り離し部２１よりも外側に突出していることが好ましい。
【００２０】
このように、本発明では、つまみ片２０と、箱体１１の正面板１１Ａから切り離された係合片１９とが接着剤等を介して重合しているため、その強度が倍増しており、つまみ片２０の基端部等がヘたったり、破損することがない。また、係合片１９が箱体１１を構成する板紙で形成され、この板紙は、通常、蓋体１２の板紙より厚手で丈夫な材質とするので、つまみ片の単なる折り返し以上に、強度を高めることができる。また、紙容器１０を開封すると、係合穴３１が残るだけで、箱体１１の正面板１１Ａの表面に剥離跡が残らないので外観が優れている。
【００２１】
図５において、係合穴３１は、その本体の上部３１ａが凸状に形成され、その下部が下に円弧状に形成され、最下端部から左右に若干離れた位置２箇所に点状に切り残しがされており、それを点付き部３２として、切り離し部２１が箱体１１の正面板１１Ａにつながっている。未開封状態の紙容器１０が開蓋されると、切り離し部２１は、その本体の最下端部（円弧状の頂点）を開始点として、切り込み線に沿って箱体１１の正面板１１Ａから容易に切り離され、蓋体１２のつまみ片２０と一体化した係合片１９として機能する。
【００２２】
図７は、蓋体１２と箱体１１の係止部分を示す縦断面の模式図である。
係合片１９はつまみ片２０の裏面に固着されている。係合穴３１は、箱体１１の正面板１１Ａを上端片で内側に折り返し接着された内折り板３２ａ、３２ｃ及びエンボス加工により凸状に脹らませた３２ｂで裏打ちされている。これにより、係合穴３１の背面には係合片１９を差し込むことのできる隙間３３が設けられている。この隙間に係合片１９が差し込まれて係合穴３１の係合端３１ａに係合し、蓋体１２が箱体１１の正面板１１Ａに係止され、強固にロックされる。なお、内折り板３２ａ〜３２ｃは、箱体１１の正面板１１Ａからの折り返しではなく、別途に用意した紙等の素材を貼付して代用することもできる。
ロックされている蓋体１２を開くときは、つまみ片２０を指で持ち、つまみ片２０の基端部の折り罫線２２を回動中心として、つまみ片２０の先端を上方に向かって少し持ち上げながら引くと、係合片１９は自然に係合穴３１から抜け出ていき、蓋体１２のロックが解除される。
つまみ片２０、係合片１９等の大きさには特に制限はなく、紙等の素材の厚さ、ロック・解除等の操作の円滑性、及び係合強度の観点から、適宜設定することができる。
【００２３】
本発明の紙容器１０は上記のように構成されているので、以下の作用効果がある。
（１）蓋体１２と箱体１１の係止が容易であり、しかもロック機能が強固であって、つまみ片２０の基端部等から裂けることがない。
（２）つまみ片２０と、箱体１１から切り離された係合片１９とが重合しているため、強度が倍増している。また、係合片１９が箱体を構成する板紙で形成され、この板紙は蓋体１２の板紙より厚手で丈夫な材質とすることができるので、つまみ片２０周辺のヘタリを解消することができる。
（３）使用開始時に開封すると、箱体１１の切り離し部２１が切り離され、その跡が係合穴３１となり、箱体１１の表面に剥離跡が残らないので外観が優れている。
【産業上の利用可能性】
【００２４】
本発明の紙容器は、種々の粉粒体を収納するための紙容器として利用することができるが、特に、５００ｇ〜２．５ｋｇ、好ましくは１〜２ｋｇ程度の粉末洗剤を収納する家庭用粉末洗剤容器として好適に利用できる。
【図面の簡単な説明】
【００２５】
【図１】紙容器の開蓋状態を示す斜視図である。
【図２】紙容器の閉蓋状態を示す正面図である。
【図３】紙容器の閉蓋状態を示す背面図である。
【図４】紙容器の開蓋状態の一例を示す正面概略図である。
【図５】紙容器の開蓋状態の別形態を示す正面概略図である。
【図６】蓋体のつまみ片の例を示す概略図である。
【図７】蓋体と箱体の係止部分を示す縦断面の模式図である。
【図８】別形態の紙容器の開蓋状態を示す斜視図である。
【符号の説明】
【００２６】
１０．紙容器    １１．箱体    １２．蓋体    １９．係合片    ２０．つまみ片
２１．切り離し部    ２２．折り罫線    ３１．係合穴
【図１】
2006321501.tif 000003
【図２】
2006321501.tif 000004
【図３】
2006321501.tif 000005
【図４】
2006321501.tif 000006
【図５】
2006321501.tif 000007
【図６】
2006321501.tif 000008
【図７】
2006321501.tif 000009
【図８】
2006321501.tif 000010